(57)【特許請求の範囲】
【請求項１】
建物に対して横方向に設置され、該建物に降った雨水を受ける軒樋本体と、該軒樋本体とは離間した上方位置に設置される化粧部材と、前記軒樋および前記化粧部材を各々独立して脱着可能に支持する支持具とを、有する軒樋装置において、
前記化粧部材は、前記軒樋本体の前方壁面と略同一面またはそれよりも前方に突き出るように設置されると伴に、前記化粧部材の下端には前記建物に向かって水平に後退する後退面であって前記化粧部材の側面と当該後退面とで形成される屈曲部が前記軒樋の導水路の鉛直上方に配置されるものと該後退面から鉛直方向下方に垂下した固定面とを備え、かつ、該固定面の下端縁は前記軒樋の導水路の鉛直上方に位置するように設置されることを特徴とする軒樋装置。
【発明の詳細な説明】
【０００１】
【課題の属する技術分野】
この発明は、化粧部材により化粧された軒樋装置に関する。
【０００２】
【従来の技術】
従来から、軒樋本体上方の軒先などの建物を覆うことにより軒先前方を化粧して建物の意匠性を高めるための化粧部材が知られている。しかしながら、この化粧部材は、支持部材への固定に手間取ったり、また、固定部に隙間が発生して軒樋と一体的に確実に支持することが困難であった。
【０００３】
このため、たとえば、特許第２８１９８７２号公報によれば、図１２に示すような軒樋支持装置１が提案されている。この軒先支持装置１では、軒先２の屋根板にボルト３により固定された取付金具４を介して樋支持具５が固定されている。この樋支持具５は中央付近及び両端にそれぞれバネ片６ａ〜６ｃを有する係止部７ａ〜７ｃを備えている。
【０００４】
一方、軒樋本体８と軒先カバ−材（化粧部材）９とはそれぞれ端縁に係合耳部８ａ、８ｂ、９ａ、９ｂを備え、軒樋本体８の前側上端部分の係合耳部８ａと化粧部材９の下端部分の係合耳部９ａは、樋支持具５の中程に形成された大きな凹所からなる係止部７ａに重合状態に係合されると共にバネ片６ａが押圧当接されることにより、軒樋本体８と化粧部材９とが一体的に確実に且つ簡単に取着保持されるようにされている。
【０００５】
【発明が解決しようとする課題】
ところで、都市の密集地に建築される建物では、軒樋本体にも狭小地での省スペース性と施工性の要望は益々高まりつつある。この省スペース性を考慮すると、軒樋本体の大きさは小さい方がよい。
【０００６】
しかしながら、軒樋本体を小さくすると軒樋本体の底面積が小さくなり軒樋本体内にゴミなどが堆積した場合にはその都度ゴミの除去を行う必要が生じる。これにより、煩雑にゴミを除去する必要が生じて、長期にわたって使用するには保守性が悪化する。また、省スペース性を重視して軒樋本体の外形を小さくすると一般的には軒樋本体の意匠性が損なわれる場合が多い。
【０００７】
ここで、上述の軒樋支持構造１では、意匠性には配慮して大きな軒樋本体８を備えているが、省スペース性には十分な配慮がなされていない。たとえば、化粧部材９は、円弧状の断面形状を備え、機能性を考慮した場合にこの円弧状側面が必要以上に前方に向けて突出している。また、この軒樋支持構造１によれば、樋支持具５の中程に形成された係合部７ａに軒樋本体の前側上端の係合耳部８ａと化粧部材５下端の係合耳部９ａとを重合状態にすることが必要であるので、この係合部７ａの断面積は大きくなる。それ故、この係合部７ａの大きさが軒樋本体８と軒先２の隙間を狭める直接の原因となり、この軒樋支持装置１を採用する限り、省スペース性を実現することはできない。
【０００８】
さらに、この軒樋支持装置１では、化粧部材９の係止方法は、バネ片６ａ、６ｂを用いた乾式の固定方法をとっている。この場合、化粧部材９の嵌入は簡単にできるので、取り付け施工性は良好と思われるが、取り外しは困難と思われる。このため、軒樋本体８内にゴミ等が堆積した場合、そのゴミの除去は困難となり、保守性に問題があった。
【０００９】
そこで、この発明は、意匠性を有する化粧部材を備えるとともに、省スペース性と施工性、保守性を備えた軒樋装置を提供することを課題としている。
【００１０】
【課題を解決するための手段】
建物に対して横方向に設置され、該建物に降った雨水を受ける軒樋本体と、該軒樋本体とは離間した上方位置に設置される化粧部材と、前記軒樋および前記化粧部材を各々独立して脱着可能に支持する支持具とを、有する軒樋装置において、
前記化粧部材は、前記軒樋本体の前方壁面と略同一面またはそれよりも前方に突き出るように設置されると伴に、前記化粧部材の下端には前記建物に向かって水平に後退する後退面であって前記化粧部材の側面と当該後退面とで形成される屈曲部が前記軒樋の導水路の鉛直上方に配置されるものと該後退面から鉛直方向下方に垂下した固定面とを備え、かつ、該固定面の下端縁は前記軒樋の導水路の鉛直上方に位置するように設置されることを特徴とする軒樋装置である。
【００１１】
このように構成すれば、化粧部材は軒樋本体の上方を覆うことになるが、軒樋本体とは独立して取り付け取り外しの行える支持具により支持されるので、軒樋本体を設置した状態で化粧部材のみを取り外して軒樋本体内のゴミを除去することができる。
【００１２】
また、この化粧部材は、軒樋本体とは独立しているので、建物の外形がフラット屋根や傾斜屋根などと異なった場合にも、その異なって外形形状に合わせて化粧部材を設計することができる。
【００１３】
また、この化粧部材と軒樋本体とは、離間して配置されるが、地上からは軒樋本体と化粧部材とは一体となって建物を化粧しているように視認させることができる。
【００１７】
さらに、このように構成すれば、化粧部材が軒樋本体の前方壁面と略同一平面若しくは該前方壁面より前面に突出しているので、建物と化粧部材との間にある程度の隙間を維持することができる。突出している場合には、屋外への出寸法を考慮して設計される。
【００２１】
また、このように構成すれば、前記化粧部材は、前記軒樋本体の前方壁面と略同一面またはそれよりも前方に突き出るように設置されると伴に、前記化粧部材の下端には前記建物に向かって水平に後退する後退面であって前記化粧部材の側面と当該後退面とで形成される屈曲部が前記軒樋の導水路の鉛直上方に配置されるものと該後退面から鉛直方向下方に垂下した固定面とを備え、かつ、該固定面の下端縁は前記軒樋の導水路の鉛直上方に位置するように設置されるので、化粧部材に付着した雨水等は自重により落下して軒樋本体内に誘導させることができる。
【００２３】
前記軒樋本体は後方壁の後方に前記支持具と係合する係合耳部と、前方壁の上端内側に前記支持具と係合する凹溝状の係合耳部とを備えていれば、省スペース化を実現した軒樋本体であって、軒樋本体の取付が容易となる。
【００２５】
前記軒樋本体及び前記化粧部材は、各々独立して長手方向に接合されていれば、軒樋本体及び化粧部材を接合して長尺としたり建物の周囲に亘って支持させることができる。また、化粧部材と軒樋本体とは独立して長手方向に接合されているので、建物周囲に亘って請求項１〜６のいずれか１項に記載の軒樋装置を配設しても、化粧部材は軒樋本体とは独立して取り付け、取り外すことができ、維持管理を容易に行うことができる。
【００２６】
【発明の実施の形態】
以下、本発明の具体的な実施の形態について、図面を参照しつつ説明する。
【００２７】
図１は、この発明の軒樋装置１０を示す側面図であり、建物１１の屋根面１２等に降り注いだ雨水を受ける軒樋本体１３とその軒樋本体１３の上方を覆うことにより建物１１の前方を化粧する化粧部材１４と、その軒樋本体１３及び化粧部材１４とを独立に支持する支持具１５とから大略構成されている。
【００２８】
この軒樋本体１３は、図２に示すように、長手方向に延びる底壁１６と、その底壁１６と略直交してやや上開き方向に立設された前方壁１７及び後方壁１８とを備え、これにより断面コ字状の導水路１９が形成されている。
【００２９】
また、この軒樋本体１３は、前方壁１７の上端内側（後側）には長手方向に延びる後側に開口２０を備えた係合耳部２１が設けられ、後方壁１８の上端外側（後側）には長手方向に延びる下方に向けて係止部２２を備えた係合耳部２３が設けられている。これらの係合耳部２１、２３は、支持金具１５に支持させる際の係合部を構成する。
【００３０】
一方、化粧部材１４は、図３に示すように、長手方向に延びる垂下した係止面２４とその係止面２４の上端から屈曲して屋根面１２と略平行である上面２５とその上面２５から略直角に曲折された側面２６と、その側面２６の下端から屈曲して建物１１に向かって水平に後退する後退面２７と、その後退面２７から鉛直方向下方に垂下した固定面２８とを備えている。この固定面２８には、適宜の間隔を開けて貫通したネジ孔２９が形成されている。ここで、この固定面２８の下端縁３０は導水路１９に向けて望んでおり、これにより化粧部材１４の内外を伝わる雨水は軒樋本体１３内に誘導される。なお、図では側面２６は平滑面とされているが、適宜の凹凸を設けて強度を高めたり意匠性をもたせてもよい。
【００３１】
また、支持金具１５は金属板を曲折加工して形成されたもので、図４（ａ）に示すように、木ネジ３１又はボルト等で建物に固定するためのネジ孔３２を備えた固定部３３とその固定部３３に一体となって形成された前係止部３４と後ろ係止部３５とからなる軒樋の吊り下げ部３６と、固定部３３と前係止部３４との間の連結部３７から溶接などにより立設されて固定された化粧部材係止部３８とより構成される。
【００３２】
この化粧部材係止部３８は、連結部３７と接合された脚部３９と、この脚部３９から立設されたネジ孔４１を備えた固定部４２と、この固定部４２から連結部４３により連結されて化粧部材１４の上面２５を保持する保持部４４とから大略構成される。ここで、この保持部４４の先端４５は、上面２５と係止面２４とで形成される屈曲部４６に内接されて係止され、固定部４２は化粧部材１４の固定面２８にボルト４０等により固定される。
【００３３】
つぎに、この支持金具１５を用いた組み付け手順の一例を図１に基づき説明する。この建物１１では、傾斜した屋根面１２のケラバ４７に向けて軒樋取付用の駆体壁４８が設けられている。支持金具１５はこの駆体壁４８に木ねじ３１等により長手方向に所定の間隔を開けて取り付けられる。
【００３４】
軒樋本体１３は開口２０から前側係止部３４を嵌合させて係合耳部２１を係合させつつ、後ろ係止部３５に係止耳部２３を係合させて固定される。
【００３５】
また、化粧部材１４は、先端４５の上から屈曲部４６を内接させつつ固定面２８を固定部４２に衝合させてボルト４０をネジ孔２９、４１を貫通させてナット４９により固定する。ここで、このボルト４０の中心位置は、軒樋本体１３の前方壁１７の上端よりΔｈだけ高いので、固定や取り外し施工が行いやすい。
【００３６】
以上のように構成された軒樋装置１０によれば、化粧部材１４は軒樋本体１３の上方の建物１１の前面を化粧しているが、その側面２６の高さはケラバの高さ（駆体壁４８の上端から屋根面１２までの距離）に合わされ、また、上面２５は屋根面１２と平行に配置されているので、化粧部材１４は、建物１１全体との一体感あり、これにより、建物１１の外観の向上が図れる。
【００３７】
また、支持金具１５との固定面４２の下端縁３０は、導水部１９の鉛直方向上方に配置されているので、化粧部材１４の前側又は後ろ側に降り注いだ雨水は導水路１９に誘導されて、地上に落下することがない。ここで、側面２６と後退面２７とで形成される屈曲部５０を軒樋本体１３の導水路１９の鉛直方向上に配置すれば化粧部材１４に降り注いだ雨水は全て導水路１９に誘導されて、地上に落下することがない。
【００３８】
また、化粧部材１４と軒樋本体１３とは、支持金具１５との固定部が各々独立しているので、軒樋本体１３の固定部の設計に化粧部材１４の固定を考慮する必要がなく、省スペース化を行いつつ意匠性を高めることができる。
【００３９】
また、化粧部材１４は、ボルト４０により螺合により固定されているので、取り付け取り外し施工が容易であるとともに取り付け取り外しを繰り返して行うこともできるので、軒樋本体内の清掃するのが容易である。
【００４０】
また、この化粧部材１４は軒樋本体１３よりは高い位置で固定されているが、この固定面２８は、軒樋本体１３の前方壁１７よりも後退しかつその固定位置は軒樋本体の前方壁１７よりも僅かに高いだけであるので、地上からの目線Ｅによれば固定面２８は視認できない。軒樋本体１３と後退面２７とによるライン状の線は視認できるがこのライン状の線は全体の意匠性を向上させる。
【００４１】
【変形例１】
この変形例１では、実施の形態１の化粧部材１４に代えて、図５に示すような形態の化粧部材１４１が用いられている。この図５において、この化粧部材１４１は、上面２５と係止面２４との間に厚みを保持する厚み保持面２５１を有し、この厚み保持面２５１は上面２５及び係止面２４とともにコの字状を形成している。
【００４２】
このような化粧部材１４１は、図４（ｂ）に示すような支持金具１５１を用いることにより係止される。
【００４３】
ここで、吊り下げ部３６は、実施の形態と実質的に同一であるので詳細な説明は省略するが、この支持金具１５１は、図５に示すように、連結部３７にバネ片３５１などを固定して、係止部３５とともにこのバネ片３５１により後方壁１８を圧接して固定するように構成してもよい。
【００４４】
また、化粧部材係止部３８は、その保持部４４の上方は曲折され、その曲折部４４ａの先端４５は厚み保持面２５１と係止面２４とで形成される屈曲部４６に内接されて係止される。また、固定部４２には、固定部４２に取り付けられたナット（図示せず）に螺合するボルト４０によって、略Ｌ字状に折り曲げられた固定板４２１が固定されている。固定板４２１の略Ｌ字状に折り曲げられた一方の一片はその上端部が切り欠けられて、固定部４２の一側面に当接しており、ボルト４０を回転させても固定板４２１が回転しないようになっている。
【００４５】
このような支持金具１５１は、化粧部材１４１は、先端４５の上から屈曲部４６を内接させつつ固定面２８の先端部を固定部４２と固定板４２１の一片の上端部で挟持させてボルト４０を図示しないナットに螺合させて固定する。
【００４６】
以上のように構成された軒樋装置１０によれば、化粧部材１４１は軒樋本体１３の上方の建物１１の側面を化粧しているが、その上面２５及び側面２６の高さはケラバの高さ（駆体壁４８の上端から屋根面１２までの距離）に合わされ、また、上面２５は屋根面１２と平行に配置されているので、化粧部材１４及び軒樋本体１３は建物１１全体との一体感あり、これにより、建物１１の外観の向上が図れる。
【００４７】
なお、図５における支持金具１５１では係止部３５はバネ片３５１により固定されるが、軒樋本体１３は取り外しの回数が少ないので、このようなバネ片３５１などにより確実に固定されていても差し支えがない。
【００４８】
【変形例２】
この変形例２では、実施の形態１の傾斜屋根１２に代えて、図６に示すように、フラット屋根１２１を備えた建物１１に応用する例を示している。なお、この軒樋本体１３は、図２に示すものと全く同一である。
【００４９】
一方、化粧部材１４１は屋根１２１に合わせて自由に変形される。この変形例２では、図７に示すように、長手方向に延びる垂下した係止面２４とその係止面２４の上端から屈曲して屋根面１２１と略平行である上面２５とその上面２５から略直角に曲折された側面２６と、その側面２６の下端から屈曲して建物１１に向かって水平に後退する後退面２７と、その後退面２７から鉛直方向下方に垂下した固定面２８とを備えている。また、側面２６の上側２６ａには、側面２６から後退した平行な後退面２７ａ、２７ｂにより凹所が形成され、その凹所には、上部凹所面２８ａが形成されている。
【００５０】
また、支持具１５２は射出成形等により一体に形成された樹脂製であり、図４（ｃ）に示すように、木ネジ３１又はボルト等で建物に固定するためのネジ孔３２を備えた固定部３３と前係止部３４と後ろ係止部３５とからなる軒樋の吊り下げ部３６と、固定部３３及び前係止部３４から一体となって立設された化粧部材係止部３８１とより構成される。この吊り下げ部３６の寸法は実施の形態の吊り下げ部３６の寸法と略同一である。これにより、実施の形態と同一の軒樋本体１３が前係止部３４と後ろ係止部３５とにより吊り下げ固定されている。
【００５１】
また、化粧部材係止部３８１は、固定面２８に固定される固定部４２及び上部凹所面２８ａに固定される上部固定面４２ａを備え、セルフタッピングビス４０，４０ａにより固定されるようになっている。
【００５２】
この支持具１５２は、建物１１の駆体壁４８に木ねじ３１等により取り付けられ、上端４５には、係止面２４と上面２５とにより形成される屈曲部４６が内接されて上部凹所面２８ａはボルト４０ａにより上部固定面４２ａに固定され、固定面２８はボルト４０により固定面４２に固定される。
【００５３】
以上のように構成された軒樋装置１０によれば、建物１１全体と一体感のある化粧部材１４１により、建物１１の外観の向上が図れる。
【００５４】
また、後退面２７ａは逆勾配に配されているので、水切り機能を備え、また、凹所面２８ａは固定面２８と同様に地上から視認されない。
【００５５】
また、化粧部材１４１の前側又は後ろ側に降り注いだ雨水は下端縁３０ａから導水路１９に誘導される。
【００５６】
その他の構成及び作用効果は実施の形態１と略同様であるので、詳細な説明は省略する。
【００５７】
これらの変形例により明らかなように、この実施の形態による軒樋装置によれば、軒樋本体と化粧部材との係止部が全く独立しているので、軒樋本体１３との係止部である吊り下げ部３６を同一規格とした状態で、化粧部材のデザインを所望により自由に変更することができる。
【００５８】
以下に、実施の形態で説明した軒樋装置１０を、図８に示す建物１１に適用した施工例を示す。
［施工例１］
この施工例１は、屋上のルーフガーデンなどに通じる階段に設けられたペントハウス１１１に適用した例である。
【００５９】
ここで、このペントハウス１１１は、棟部１２ａから一方向に傾斜した屋根面１２を備えて、軒部１２ｂに不図示の駆体壁４８を備えている。その軒部１２ｂに沿ってこの発明の軒樋装置１０が設置され、その他の棟部１２ａやケラバと屋根面１２との稜線の前方は軒樋装置１０の外観と調和させ、一体感をうるためのダミー化粧部材により化粧されている。
【００６０】
ここで、軒樋本体１３及び化粧部材１４は、図９に示すように、支持金具１５により支持される。軒樋本体１３と軒樋本体１３との接続部には集水器５１を介して竪樋５２が設置されている。この竪樋５２は壁面塗装を行うために壁面との間隔を大きくとるように、集水器５１の中心が前側に突出されている。軒樋本体１３の両末端には内止まり５３が設けられている。
【００６１】
このダミー化粧部材は、例えば、屋根面１２のケラバを化粧するケラバ本体部５４、このケラバ本体部５４と接続され内止まり５３及び化粧部材１４の末端を化粧するペントハウス下部５５ａ、棟部を化粧するペントハウス本体５６、ケラバ本体部５４に接続されてペントハウス本体５６の端部を覆うペントハウス上部５５ｂとより大略構成されている。
【００６２】
ケラバ本体部５４（又はペントハウス本体部５６）の長さが短い場合には、この本体部５４は、ジョイント５７により接続されていてもよい。これらの各本体部は支持具５８により固定され、これにより、ペントハウス１１１の屋根面全周に亘って統一された化粧を施すことができる。
【００６３】
これにより、傾斜屋根の所望の位置にこの発明の軒樋装置を備えることができる。また、化粧部材１４は軒樋本体１３とは独立して固定されているので、必要に応じて単独で取り外すことができる。
［施工例２］
つぎに、図１０に示す施工例は、フラット屋根の出入り入り隅のある屋根構造に適用した例であり、変形例２の軒樋装置の施工例である。
【００６４】
軒樋本体１３及び化粧部材１４１は、支持具１５２により支持される。軒樋本体１３と軒樋本体１３との接続部には集水器５１を介して竪樋５２が壁面塗装を行うために壁面との間隔を大きくとるように前側に突出して設置されている。
【００６５】
軒樋本体１３の末端には内止まり５３が設けられ、この内止まり５３は化粧部材１４の末端共々外止まり５９により化粧されている。
【００６６】
軒樋本体１３又は化粧部材１４１の長さが短い場合には、ジョイント６０及び６１によりそれぞれ独立して接続されている。また、出隅、入り隅などの曲折部にはそれぞれ、曲がり６２、６３が軒樋用、化粧部材用として独立して設けられている。
【００６７】
これにより、フラット屋根の所望の位置にこの発明の軒樋装置を備えることができる。また、化粧部材１４１は軒樋本体１３とは独立して固定されているので、必要に応じて単独で取り外すことができる。
［施工例３］
つぎに、図１１に示す施工例は、屋上に設けられた周囲がフラット屋根１２１（不図示）により囲まれたルーフガーデンの周囲にこの発明の変形例２の軒樋装置を適用した施工例である。
【００６８】
軒樋本体１３及び化粧部材１４１は、支持具１５２により支持され、軒樋本体１３と軒樋本体１３との接続部には集水器５１を介して竪樋５２が設置されている。コーナー部には、入り隅用の曲がり６２、６３がそれぞれ設けられている。竪樋５２にと平行する軒樋本体１３、１３には、内止まり５３、５３が設けられ、その内止まり５３、５３間には伸縮カバー６４が設置されている。
【００６９】
これにより、フラット屋根で囲まれたスペースの周囲にこの発明の軒樋装置を備えることができる。また、化粧部材１４１は軒樋本体１３とは独立して固定されているので、必要に応じて単独で取り外すことができる。
【００７０】
なお、以上の実施の形態では、省スペース化を図るために、ケラバに樋取付用の駆体壁とそれに取り付けるための支持具により説明したが、この発明においては支持具はこの発明の目的及び効果を有するものであればこれに限らない。
【００７１】
また、軒樋本体の断面の形状は、コ字状に限らず、Ｕ字状、円弧状、その他の異形状であってもよい。
【００７２】
【発明の効果】
以上説明してきたように、請求項１記載の発明によれば、化粧部材は軒樋本体の上方を覆うことになるが、軒樋本体とは独立して取り付け取り外しの行える固定部材により固定されるので、軒樋本体を設置した状態で化粧部材のみを取り外して軒樋本体内のゴミを除去することができる。
【００７３】
また、この化粧部材は、軒樋本体とは独立しているので、建物の外形がフラット屋根や傾斜屋根などと異なった場合にも、その異なって外形形状に合わせて化粧部材を設計することができる。
【００７４】
また、この化粧部材と軒樋本体とは、離間して配置されるが、地上からは軒樋本体と化粧部材とは一体となって建物を化粧しているように視認させることができる。
【００７５】
また、この化粧部材は、軒樋本体の前方壁面と略同一面またはそれよりも前方に突き出るように設置されると伴に、化粧部材の下端には建物に向かって水平に後退する後退面であって前記化粧部材の側面と当該後退面とで形成される屈曲部が前記軒樋の導水路の鉛直上方に配置されるものと該後退面から鉛直方向下方に垂下した固定面とを備え、かつ、該固定面の下端縁は軒樋の導水路の鉛直上方に位置するように設置されるので、化粧部材に付着した雨水等は自重により落下して軒樋本体内に誘導させることができる。
これにより、意匠性を有する化粧部材を備えるとともに、省スペース性と施工性、保守性を備えた軒樋装置を提供することができる。
【図面の簡単な説明】
【図１】  本発明の軒樋装置を側面よりみた概略納まり断面図である。
【図２】  図１の部材である軒樋本体を説明する斜視図である。
【図３】  図１の部材である化粧部材を説明する斜視図である。
【図４】  本図４（ａ）〜（ｃ）は、発明に係る支持具を説明する斜視図である。
【図５】  本発明の変形例１に係る軒樋装置を説明する部分模式図である。
【図６】  本発明の変形例２に係る軒樋装置を側面よりみた概略納まり断面図である。
【図７】  図６の部材である化粧部材を説明する斜視図である。
【図８】  本発明の施工例を説明するための建物の概略を説明する斜視図である。
【図９】  本発明の軒樋装置の施工例を説明する部品分解図である。
【図１０】  本発明の軒樋装置の施工例を説明する部品分解図である。
【図１１】  本発明の軒樋装置の施工例を説明する部品分解図である。
【図１２】  従来の軒樋支持装置の概略を説明する断面図である。
【符号の説明】
１０  軒樋装置
１１  建物
１２  屋根面
１３  軒樋本体
１４  化粧部材
１５  支持具
４０  固定部材
【図１】
0004448594.tif 000002
【図２】
0004448594.tif 000003
【図３】
0004448594.tif 000004
【図４】
0004448594.tif 000005
【図５】
0004448594.tif 000006
【図６】
0004448594.tif 000007
【図７】
0004448594.tif 000008
【図８】
0004448594.tif 000009
【図９】
0004448594.tif 000010
【図１０】
0004448594.tif 000011
【図１１】
0004448594.tif 000012
【図１２】
0004448594.tif 000013